【手続補正書】
【提出日】令和3年3月4日(2021.3.4)
【手続補正１】
【補正対象書類名】特許請求の範囲
【補正対象項目名】全文
【補正方法】変更
【補正の内容】
【特許請求の範囲】
【請求項１】
構成要素信号分析に基づいて磁気共鳴（ＭＲ）イメージングデバイス内の差し迫った構成要素障害を識別することを容易にするシステムであって、前記システムは、
複数の無線周波数（ＲＦ）コイルを備えるＭＲイメージングデバイスと、
前記複数のＲＦコイルがそれぞれ異なる時点において電源に接続されるコネクタと、
プロセッサとを備え、前記プロセッサは、
前記複数のＲＦコイルの各々について、少なくとも１つのＲＦコイルパラメータをモニタリングし、
少なくとも１つの所定の測定基準に従ってデータポイントを廃棄することによって、フィルタリング済みデータセットを生成し、
前記フィルタリング済みデータセットに基づく少なくとも１つのシステム構成要素内の少なくとも１つの障害状態を識別し、
識別されている前記少なくとも１つの障害状態のレポートを送信し、
識別されている前記少なくとも１つの障害状態の根本原因を示す情報及び構成要素補修推奨を含む信号を受信し、
前記構成要素補修推奨をユーザインターフェース（ＵＩ）上に出力し、
モニタリングされている前記少なくとも１つのＲＦコイルパラメータは、位相ロック喪失事象であり、前記プロセッサはさらに、位相ロック喪失事象の数が、所定の期間内で、又は、プラグ事象周辺の有効時間範囲にわたってフィルタリングすることによって決定される期間のセット内で、所定の閾値を超えるときに、警告を生成する、システム。
【請求項２】
モニタリングされている前記少なくとも１つのＲＦコイルパラメータは、前記少なくとも１つのＲＦコイルの測定電圧を含み、前記プロセッサはさらに、経時的な前記測定電圧の劣化を検出し、前記障害状態は、前記測定電圧が所定の閾値を下回るときに識別される、請求項１に記載のシステム。
【請求項３】
前記ＵＩ上に出力される前記構成要素補修推奨は、前記複数のＲＦコイルの各々を識別するテーブルと、各ＲＦコイルに対する補修推奨とを含み、前記テーブルは、補修が推奨される、各ＲＦコイルの検出されている障害状態の根本原因をさらに含み、前記補修推奨は、前記根本原因が、所定の期間にわたって所定の閾値を下回る電圧劣化であると判定されたときに、前記ＲＦコイルを交換するための推奨である、請求項１又は２に記載のシステム。
【請求項４】
前記ＲＦコイルはデジタルＲＦコイルである、請求項１から３のいずれか一項に記載のシステム。
【請求項５】
前記プロセッサはさらに、プラグ事象遅延期間内に入るデータポイントを廃棄することによって前記フィルタリング済みデータセットを生成する、請求項１から４のいずれか一項に記載のシステム。
【請求項６】
前記プラグ事象遅延期間は、所与のコイルが前記コネクタにプラグ接続され又は前記コネクタからプラグ接続解除される時点に隣接して、前記時点の前及び後のうちの少なくとも１つにおいて発生する所定の期間である、請求項５に記載のシステム。
【請求項７】
前記システム構成要素は、
前記ＲＦコイルのうちの１つ又は複数を電源に接続するコネクタ、及び
前記ＲＦコイルのうちの１つ又は複数を前記コネクタに接続するコイルインターフェースのうちの１つである、請求項１から６のいずれか一項に記載のシステム。
【請求項８】
構成要素信号分析に基づいて磁気共鳴（ＭＲ）イメージングデバイス内の差し迫った構成要素障害を識別する方法であって、前記方法は、
少なくとも１つの無線周波数（ＲＦ）コイルパラメータを、コネクタを介して電源に周期的に接続される複数のＲＦコイルの各々についてモニタリングするステップと、       
少なくとも１つの所定の測定基準に従って、モニタリング中に収集されるデータポイントを廃棄することによって、フィルタリング済みデータセットを生成するステップと、
前記フィルタリング済みデータセットに基づく少なくとも１つのシステム構成要素内の少なくとも１つの障害状態を識別するステップと、
識別されている前記少なくとも１つの障害状態のレポートを送信するステップと、
識別されている前記少なくとも１つの障害状態の根本原因を示す情報及び構成要素補修推奨を含む信号を受信するステップと、
前記構成要素補修推奨をユーザインターフェース（ＵＩ）上に出力するステップと
を有し、
モニタリングされている前記少なくとも１つのＲＦコイルパラメータは、位相ロック喪失事象であり、位相ロック喪失事象の数が、所定の期間内で、又は、プラグ事象周辺の有効時間範囲にわたってフィルタリングすることによって決定される期間のセット内で、所定の閾値を超えるときに、警告を生成するステップをさらに有する、方法。
【請求項９】
モニタリングされている前記少なくとも１つのＲＦコイルパラメータは、前記少なくとも１つのＲＦコイルの周期的に測定される電圧を含み、経時的な測定電圧の劣化を検出するステップをさらに有し、前記障害状態は、前記測定電圧が所定の閾値を下回るときに識別される、請求項８に記載の方法。
【請求項１０】
前記ＵＩ上に出力される前記構成要素補修推奨は、前記複数のＲＦコイルの各々を識別するテーブルと、各ＲＦコイルに対する補修推奨とを含み、前記テーブルは、補修が推奨される、各ＲＦコイルの検出されている障害状態の識別される根本原因をさらに含み、前記補修推奨は、前記根本原因が、所定の期間にわたって所定の閾値を下回る電圧劣化であると判定されたときに、前記ＲＦコイルを交換するための推奨である、請求項８又は９のいずれか一項に記載の方法。
【請求項１１】
プラグ事象遅延期間内に入るデータポイントを廃棄することによって前記フィルタリング済みデータセットを生成するステップをさらに有する、請求項８から１０のいずれか一項に記載の方法。
【請求項１２】
前記プラグ事象遅延期間は、所与のコイルが前記コネクタにプラグ接続される又は前記コネクタからプラグ接続解除される時点に隣接して、前記時点の前及び後のうちの少なくとも１つにおいて発生する所定の期間である、請求項１１に記載の方法。
【請求項１３】
前記システム構成要素は、
前記ＲＦコイルのうちの１つ又は複数を電源に接続するコネクタ、及び
前記ＲＦコイルのうちの１つ又は複数を前記コネクタに接続するコイルインターフェースのうちの１つである、請求項８から１２のいずれか一項に記載の方法。
【請求項１４】
構成要素信号分析に基づいて磁気共鳴（ＭＲ）イメージングデバイス内の差し迫った構成要素障害を識別することを容易にするシステムであって、前記システムは、
複数の無線周波数（ＲＦ）コイルを備えるＭＲイメージングデバイスと、
前記複数のＲＦコイルがそれぞれ異なる時点において電源に接続されるコネクタと、
プロセッサとを備え、前記プロセッサは、
前記複数のＲＦコイルの電圧及び各々の少なくとも１つの位相ロック喪失事象のデータサンプルを収集し、
少なくとも１つの所定の測定基準に従ってデータサンプルを廃棄することによって、フィルタリング済みデータセットを生成し、
前記フィルタリング済みデータセットに基づく少なくとも１つのモニタリングされているＲＦコイル内の少なくとも１つの障害状態を識別し、
識別されている前記少なくとも１つの障害状態のレポートを送信し、
識別されている前記少なくとも１つの障害状態の根本原因を示す情報、及び
コイル補修推奨
を含む信号を受信し、
前記コイル補修推奨をユーザインターフェース（ＵＩ）上に出力し、
前記少なくとも１つの所定の測定基準が、位相ロック喪失事象の所定の閾値数であり、前記プロセッサがさらに、前記フィルタリング済みデータセット内で検出される位相ロック喪失事象の数が、所定の期間内で、前記所定の閾値を超えるときに、警告を生成する、システム。
【請求項１５】
前記少なくとも１つの所定の測定基準が、所与のコイルが前記コネクタにプラグ接続される又は前記コネクタからプラグ接続解除される時点に隣接して、前記時点の前及び後のうちの少なくとも１つにおいて発生するプラグ事象遅延期間であり、前記プロセッサはさらに、前記フィルタリング済みデータセットを、プラグ事象遅延期間内に入るデータサンプルを廃棄することによって生成する、請求項１４に記載のシステム。